(57)【要約】【課題】  ハンドピースのレーザ出射口と患部との距離に拘わらず、均一な強度分布を有するレーザ光を患部にピンポイント照射できる医療用レーザ装置を提供する。【解決手段】  医療用のレーザ光を患部に導光する医療用レーザ装置（１０）は、光軸（１０２）と、光軸を中心とするテーパ面（８２）を有し、光軸に沿って伝送されるレーザ光（１０４）をそのテーパ面で集光する集光部（８２）と、光軸を中心とする出射口（８８）を形成する遮光壁（９０）を有し、集光部から出射されたレーザ光を出射口を介して出射するとともに集光部から出射されるレーザ光の外周部を遮光壁で遮断する絞り部（９２）を有する。【選択図】図３
2005177150.tif 000002
【特許請求の範囲】
【請求項１】
医療用のレーザ光を患部に照射するための医療用レーザ装置において、
レーザ光を導光する導光路と、
上記導光路から出射したレーザ光を集光する集光部と、
上記集光部から出射したレーザ光の外周部を遮断する絞り部を備えたことを特徴とする医療用レーザ装置。
【請求項２】
上記集光部の出射口と絞り部の出射口が同軸上に配置されていることを特徴とする請求項１に記載の医療用レーザ装置。
【請求項３】
上記集光部がその出射口に向かって先細りのテーパ部を有することを特徴とする請求項１または２に記載の医療用レーザ装置。
【請求項４】
医療用のレーザ光を患部に導光するための医療用レーザ装置において、
光軸と、
上記光軸を中心とするテーパ内筒面を有し、上記光軸に沿って伝送されるレーザ光を上記テーパ内筒面で集光する集光部と、
上記光軸を中心とする出射口を形成する遮光壁を有し、上記集光部から出射されたレーザ光を上記出射口を介して出射するとともに上記集光部から出射されるレーザ光の外周部を上記遮光壁で遮断する絞り部を備えたことを特徴とするレーザ装置。
【請求項５】
医療用のレーザ光を患部に照射するためのレーザ照射チップにおいて、
レーザ光を導光する導光路と、
上記導光路から出射したレーザ光を集光する集光部と、
上記集光部から出射したレーザ光の外周部を遮断する絞り部を備えたことを特徴とする医療用レーザ照射チップ。
【請求項６】
上記集光部の出射口と絞り部の出射口が同軸上に配置されていることを特徴とする請求項５に記載の医療用レーザ照射チップ。
【請求項７】
上記集光部がその出射口に向かって先細りのテーパ部を有することを特徴とする請求項５または６に記載の医療用レーザ照射チップ。
【請求項８】
医療用のレーザ光を患部に導光するためのレーザ照射チップにおいて、
光軸と、
上記光軸を中心とするテーパ内筒面を有し、上記光軸に沿って伝送されるレーザ光を上記テーパ内筒面で集光する集光部と、
上記光軸を中心とする出射口を形成する遮光壁を有し、上記集光部から出射されたレーザ光を上記出射口を介して出射するとともに上記集光部から出射されるレーザ光の外周部を上記遮光壁で遮断する絞り部を備えたことを特徴とするレーザ照射チップ。
【発明の詳細な説明】
【技術分野】
【０００１】
本発明は、医療用のレーザ光を患部に導光するための医療用レーザ装置および医療用レーザ照射チップに関する。
【背景技術】
【０００２】
従来、光ファイバによって伝送されたレーザ光を導光路内にレンズで集光し、この集光されたレーザ光を導光路から治療患部に出射する医療用レーザ装置が提案されている（特許文献１，２参照）。
【特許文献１】特開平８−２８０７０４号公報
【特許文献２】特開平９−５１８９９号公報
【発明の開示】
【発明が解決しようとする課題】
【０００３】
しかしながら、この医療用レーザ装置のハンドピースから出射されるレーザ光の光強度は、広い裾野を有する山に似た分布を有する。また、ハンドピースから出射されたレーザ光の強度は距離と共に減少し、その強度分布は更になだらかな山の形を描くことになる。
そのため、医療用レーザ装置のオペレータは、患部に所望強度のレーザ光を照射するためにハンドピースのレーザ出射口と患部との距離を常に一定に保たなければならないという煩わしさがあった。また、望まれる均一の強度の部分のみを取り出すことができず、その周囲の不均一な部分も常に共に照射してしまうため、所望の対象部位ではない、周囲の部分への照射も行ってしまうという問題があり、レーザ光のうち、治療等に望まれる均一の強度の部分のみを照射するレーザ装置および医療用レーザ照射チップが望まれていた。
【課題を解決するための手段】
【０００４】
この問題を解消するため、本発明に係る医療用レーザ装置および医療用レーザ照射チップは、レーザ光を導光する導光路と、上記導光路から出射したレーザ光を集光する集光部と、上記集光部から出射したレーザ光の外周部を遮断する絞り部を備えている。この医療用レーザ装置では、集光部の出射口と絞り部の出射口が同軸上に配置されていることが好ましい。また、集光部はその出射口に向かって先細りのテーパ部で形成するのが好ましい。
【０００５】
本発明の他の形態の医療用レーザ装置および医療用レーザ照射チップは、光軸と、上記光軸を中心とするテーパ内筒面を有し、上記光軸に沿って伝送されるレーザ光を上記テーパ内筒面で集光する集光部と、上記光軸を中心とする出射口を形成する遮光壁を有し、上記集光部から出射されたレーザ光を上記出射口を介して出射するとともに上記集光部から出射されるレーザ光の外周部を上記遮光壁で遮断する絞り部を備えている。
【発明の効果】
【０００６】
このような構成を採用した医療用レーザ装置および医療用レーザ照射チップによれば、遮光壁でレーザ光の外周部が遮断できるので、レーザ光を目的の患部にピンポイント照射できる。また、光の強度分布において、強度の高い均一の部分のみ取り出すことにより、光の強度の低い不均一の周囲の部分を遮断でき、所望の対象部位のみに集中して高強度の細いレーザ光を患部に照射できるので、高い切開性が得られる。また、粘膜表面から浅く一定の深さに存在する歯茎のメラミン色素除去のため、均一なレーザ光を対象部位にのみ向けて用いることができる。さらに、レーザ発生装置１４から出射するレーザの強度を低下させれば、低強度のレーザ光の中でも、光の強度分布において、強度の高い均一の部分のみ取り出すことにより、光の強度の低い不均一の周囲の部分を遮断でき、照射の対象部位において、低強度のレーザ光を目的の組織に均一に照射できる。歯の象牙質にある細く長い象牙細管に低強度のレーザ光を照射すると知覚過敏に有効であり、その際に目的部位のみに有効に照射することができる。
【発明を実施するための最良の形態】
【０００７】
１．医療用レーザ装置：
図１は、本発明に係る医療用レーザ装置（以下、「レーザ装置」という。）を示す。レーザ装置１０は、キャスタ付本体（ハウジング）１２を有する。本体１２は、後に説明するハンドピース２０を通じて治療部位又は切開部位に向けて送られる医療用レーザ光（例えば、Ｅｒ−ＹＡＧ、ＣＯ又はＣＯ２レーザ）の発生装置１４を内蔵している。本体１２はまた、ハンドピースに気体（空気又その他のガス（例えば、不活性ガス））を供給するための気体供給源１６を内蔵している。
【０００８】
本体１２に内蔵されたレーザ発生装置１４、気体供給源１６は輸送ケーブル１８の一端に接続されており、この輸送ケーブル１８を介してレーザ光と気体がハンドピースに向けて送り出されるようになっている。そのために、図示するように、輸送ケーブル１８は本体１２から引き出されており、その末端にハンドピース２０が接続されている。輸送ケーブル１８は一本の中空導管（中空光ファイバ２２：図３Ａ参照）を備えており、この中空導管を介して光（レーザ光）と気体を一緒にハンドピース２０に輸送するように構成されている。輸送ケーブル１８を構成する導管は、ハンドピース２０の操作性、光の伝送性の点から、可撓性の光ファイバを用いるのが好ましい。この場合、光ファイバの周囲を被覆（保護チューブ２４：図３Ａ参照）によって保護することが好ましい。また、光ファイバは中空導波路等の中空のタイプのファイバ又は石英ファイバ等の中実のタイプのファイバのいずれを採用してもよい。光ファイバは1本のファイバからなるものでも、複数のファイバからなるものでもよい。中空のタイプのファイバを用いれば、気体の輸送路を兼用させることができる。
本発明において示す医療用レーザ装置は、後述の絞り部を有するレーザ照射チップを装着した医療用レーザ装置である。
【０００９】
２．ハンドピース：
図２は、ハンドピース２０の詳細な構成を示す。図示するように、ハンドピース２０は、筒状の外筒体２６（図３Ａ参照）と、外筒体２６の先端開口部に着脱自在に装着されるレーザ照射チップ２８（図３Ｂ参照）を有する。図３Ａに示すように、外筒体２６、特に対象部位にレーザ光を出射する出射口８８の側を先端側あるいは前方として、その前部は、複数の筒体を連結して構成されており、外筒体２６の内部に形成された空間３０に輸送ケーブル１８の先端部が配置されている。本実施形態において、外筒体２６は、ハンドピース２０を取り扱うオペレータ３２が主に把持する把持用外筒部３４と、把持用外筒部３４の先端に連結されたテーパ外筒部３６と、テーパ外筒部３６の先端に連結された後方外筒部３８と、後方外筒部３８の先端に連結された前方外筒部４０で構成されており、隣接する外筒部同士はねじ機構又はスナップ式連結機構などの任意の連結機構を用いて互いに着脱自在となっている。これら複数の外筒部３４〜４０は金属又はプラスチックの任意の材料で形成することができる。
【００１０】
後方外筒部３８と前方外筒部４０の内側には、これら後方外筒部３８と前方外筒部４０によって保持された筒状のアウタホルダ４２が収容されている。また、アウタホルダ４２の内側には筒状のインナホルダ（ファイバホルダ）４４が収容されており、輸送ケーブル１８の先端部から保護チューブ２４を除去して剥き出しにされた光ファイバ２２の先端がインナホルダ４４の中心に保持されている。
【００１１】
前方外筒部４０の内側には、外筒体２６、この実施例では当該前方外筒部４０にその先端開口部６８（図３Ａ，図３Ｂ参照）から挿入されるレーザ照射チップ２８を保持するための筒状チャックホルダ４６が収容されている。筒状チャックホルダ４６は、ねじ機構又はスナップ式連結機構などの任意の連結機構を用いてアウタホルダ４２の前方に同軸上に連結されており、レーザ照射チップ２８の後部が挿入できる大きさの内径を有する差込筒部４８を備えている。差込筒部４８は、長手方向の所定の横断面上に複数の貫通孔５０が外筒体２６の中心軸に対して対称に形成されており、各貫通孔５０にその内径よりも僅かに小さな外径を有するボール５２が収容されている。貫通孔５０に収容されているボール５２が差込筒部の軸心方向に向けて該貫通孔５０の内側に僅かに突出できかつ突出した位置から内側へのボール５２の移動を阻止できるように、貫通孔５０の内側端部の内径は、ボール５２の外径よりも小さくしてある。貫通孔５０の外側にはボール付勢部材５４が配置されており、貫通孔５０の内側端部にボール５２を位置させている。本実施形態ではボール付勢部材として板ばね５４を用いているが、ゴムリングなどの弾性部材で構成してもよい。また、前方外筒部４０の先端側内面には環状溝５６が形成され、そこにシール用のＯリング５８が収容されており、このＯリング５８によって、当該前方外筒部４０に挿入されたレーザ照射チップ２８の周囲が密封されるようにしてある。
【００１２】
３．レーザ照射チップ：
レーザ照射チップ２８は、図３Ｂに示すように、複数の筒部を同軸上に連結して構成されている。本実施形態において、レーザ照射チップ２８は、３つの筒状部材、具体的には、後方チップ部６０の前方に前方チップ部６２を、前方チップ部６２の前方に先端チップ部６４を同軸上で連結して構成されており、後方チップ部６０の後端から先端チップ部６４の後部又は中央付近まで、中空の導光路（例えば中空導波路等の光ファイバ）６６が挿入されて保持されている。後方チップ部６０は、外筒体２６の先端開口部６８の内径よりも僅かに小さな外径を有する後端側筒部７０と、後端側筒部７０の前方の、先端開口部６８の内径よりも大きな外径を有する前端側筒部７２を有する。また、後端側筒部７０の外周には、図２に示すようにレーザ照射チップ２８を外筒体２６に適正に挿入した状態でボール５２が対向する位置に環状の溝部７４が形成されており、外筒体２６における前方外筒部４０の内面から突出したボール５２が溝部７４に係合してレーザ照射チップ２８を外筒体２６に対して位置決めするようにしてある。
【００１３】
先端チップ部６４は、図４に詳細に示すように、内筒７６と外筒７８の２つの部材で形成されている。内筒７６は、その後部に導光路６６の外径とほぼ同一の内径を有する内側円筒面８０と、内側内筒面８０の先端から前方に向かって次第に内径を小さくしたテーパ内筒面（集光部）８２と、テーパ内筒面８２の先端内径と同一の内径を有する先端内筒面（出射口８４）が形成されており、前方チップ部６２の先端に内挿されてねじ機構またはスナップ式連結機構などの任意の連結機構を用いて固定されている。テーパ内筒面８２は、先端に向かって内径が減少していればよく、半径方向外側に向かって凸状又は凹状のテーパ面であってもよい。一方、外筒７８は、内筒７６の外径とほぼ同一の内径を有する外筒７８周囲の内筒面８６と、テーパ内筒面８２の出射口８４とほぼ同一の内径又はそれよりも僅かに小さいか又は大きな内径の内筒面（出射口８８）を内筒７６のテーパ内筒面８２及び出射口８４と同軸上に備えており、内筒７６に外装されて固定されており、出射口８８を形成する先端遮光壁９０からなる絞り部９２が内筒７６の先端壁９４と外筒７８の遮光壁９０との間に所定の長さの空間９６を形成している。内筒７６と外筒７８との連結は、ねじ機構又はスナップ式連結機構などの任意の連結機構によって行われる。
【００１４】
具体的な各部の寸法を説明すると、内径１．０ｍｍ、外径１．３ｍｍの光ファイバを導光路６６として用いる場合、内筒７６はその内側円筒面８０の内径φ１が１.３ｍｍ、先端内筒面（出射口８４）の内径φ２が０．５ｍｍ、テーパ内筒面８２の中心軸方向長さＬ１が４ｍｍ、テーパ内筒面８２の開き角θが約１２度に設計され、外筒７８はその先端内筒面（出射口８８）の内径φ３が０．５ｍｍ、内筒先端面９４と外筒遮光壁９０、この実施例では出射口８８の後端との距離Ｌ２が１ｍｍに設計される。ただし、これらの値は限定的なものでなく、導光路６６の寸法に応じて、好ましくは、０．１ｍｍ≦φ１≦５．０ｍｍ、０．０５ｍｍ≦φ２≦３．０ｍｍ、０．０１ｍｍ≦φ３≦３．０ｍｍ、０＜θ≦３０°、０．０１ｍｍ≦Ｌ１≦５０ｍｍ、０ｍｍ＜Ｌ２≦５ｍｍの範囲で任意に設定できる。
【００１５】
このように構成されたレーザ照射チップ２８は、後方チップ部６０が外筒体２６の先端開口部６８を介して差込筒部４８に挿入される。この状態で、ばね５４で付勢された複数のボール５２が後方チップ部６０の溝部７４に係合し、レーザ照射チップ２８が外筒体２６に位置決めされる。この状態で、外筒体２６の中心に保持されている光ファイバ２２の先端出射口９８が、レーザ照射チップ２８の中心に保持されている導光路６６の後端入射口１００と僅かな隙間をあけて又は殆ど隙間のない状態で同軸上に対向する。
【００１６】
４．動作：
このような構成を備えたレーザ治療装置１０および医療用レーザ照射チップ２８によれば、本体１２内のレーザ発生装置１４で発生したレーザ光は、気体供給源１６から供給される気体（空気）と共に、輸送ケーブル１８における中空光ファイバ２２の中をその中心軸（光軸１０２、図２参照）に沿ってハンドピース２０に輸送される。ハンドピース２０において外筒体２６の中心に保持されている光ファイバ２２の先端出射口９８（図３Ａ，図３Ｂ参照）から出たレーザ光と気体は、これに対向するレーザ照射チップ２８の後端入射口１００（図３Ａ，図３Ｂ参照）から導光路６６の一端に入り、光軸１０２（図３参照）に沿って移動し、導光路６６の他端から出射する。導光路６６から出射されたレーザ光と気体は、先端チップ部６４から患部に向けて出射する。
【００１７】
レーザ照射チップ２８から出射されるレーザ光について図５（特に、図５（Ａ））を参照して更に説明すると、図示するように、導光路６６から出射されたレーザ光１０４はすべてテーパ内筒面８２によって出射口８４に集められる。出射口８４から出射したレーザ光１０４の光束は、内筒先端壁９４から外筒遮光壁９０まで移動する間にビーム径を拡大しながら前進する。そして、拡大したレーザ光１０４のうち、外筒出射口８８に入射した一部のレーザ光１０４だけが該外筒出射口８８から出射して患部に照射される。しかし、外筒出射口８８の半径方向外側に拡大したレーザ光１０４は外筒先端壁９０によって遮断される。したがって、このレーザ治療装置１０によれば、光軸１０２を中心とする所定半径の範囲内にある高強度のレーザ光１０４だけがハンドピース２０の先端出射口８８から出射される。その結果、レーザ光を目的の組織にピンポイント照射でき、その周辺組織に不要にレーザ光が照射されることがない。また、高強度の細いレーザ光を利用できるので、高い切開性が得られる。さらに、レーザ発生装置１４から出射するレーザの強度を低下させれば、低強度のレーザ光を目的の組織に均一に照射できる。さらにまた、レーザ照射チップ２８と患部との距離が一定でなくても高強度のレーザ光を患部に照射できる。そして、レーザ照射チップ２８はこれを構成する部材を耐熱性の部材（例えば、ステンレス、金、銀、真鍮）で形成すれば、滅菌処理も可能である。
【００１８】
なお、図５（Ｂ）は遮光壁９０に到達したレーザ光１０４の強度分布１１０及び遮光壁９０で遮光される光成分（斜線部）１１１を示し、図５（Ｃ）はハンドピース２０の先端から所定距離（Ｄ１）だけ離れた位置におけるレーザ光１０４の強度分布１１２を示し、図５（Ｄ）はハンドピース２０の先端からさらに所定距離Ｄ２（＞Ｄ１）だけ離れた位置におけるレーザ光１０４の強度分布１１４を示しており、本発明に係るレーザ装置から出射されるレーザ光１０４が細くてほぼ一様な強度分布を有することがこれらの図面から理解できる。
【００１９】
比較のため、図５（Ｆ）には、絞り部の無いレーザ照射チップ１０２８の先端部分とそこから出射されるレーザ光１１０４の強度分布が示してある。そして、図５（Ｇ）〜図５（Ｉ）はそれぞれ図５（Ｂ）〜図５（Ｄ）に対応する位置におけるレーザ光１１０４の強度分布１１１０、１１１２、１１４を示す。これらの図に示すように、絞り部の無いレーザ照射チップ１０２８から出射されたレーザ光１１０４は前進と共に拡大する。そのため、このようなレーザ照射チップ２８を用いたレーザ装置を使用する場合、レーザ照射チップ２８と患部との間に常に一定の距離を確保しなければ所望の切開性能や治療性能が得られない。また、望まれる強度の部分のみを取り出すことができず、その周囲の部分も常に共に照射してしまうため、所望の対象部位ではない、周囲の部分への照射も行ってしまう。
【００２０】
５．他の実施形態：
上記実施形態では、真っ直ぐなレーザ照射チップ２８を使用したが、図６に示すように、レーザ照射チップ２８の前方チップ部６２に曲管を使用し、これにより外筒体２６の中心軸に対して所定の角度をなす斜め方向にレーザ光を出射するようにしてもよい。
【００２１】
また、上記実施形態では、レーザ光の進行方向に関してテーパ内筒面（集光部）８２の前方に一つだけ絞り部９２を設けたが、図７に示すように、複数の絞り部１１２ａ〜１１２ｃを同軸上に配置してもよい。この場合、直進性の高いレーザ光を得られることから、深部の患部にも浅部の患部と同様にレーザ光をピンポイント照射できる。
【００２２】
さらに、図８に示すように、レーザ照射チップ２８の先端に、絞り部９２の前方に位置する偏向ミラー１１４と、この偏向ミラー１１４を支持する支持部１１６を設け、絞り部９２から出射されたレーザ光１０４をハンドピース２０の中心軸とほぼ直交する方向に偏向してもよい。この実施形態によれば、ハンドピース２０の中心軸に対してほぼ直交方向からレーザ光１０４を照射できる。偏向ミラーの鏡面を凹面にして、さらに集光させるようにしてもよい。
【００２３】
さらにまた、図９に示すように、絞り部９２の前方に別の導光路（例えば中空導管）１１８を設け、この導光路１１８によってレーザ光を絞ることもできる。この場合、図１０（Ａ）に示すように、導光路に曲管１２０を用いることもできる。
別の導光路１１８の形態は様々に考えられ、例えば絞り部から出射するレーザ光とほぼ同径の石英チップ等の円柱状チップを設けてもよいし、その形状を先細りの円錐状チップにしてもよい。また、中空導波路等の中空タイプの光ファイバを用いてもよいし、さらにその内面形状を先細りの円錐状テーパにしてもよい。また、保護管の中に各種の光ファイバを収容したものを用いてもよく、図１０（Ｂ）のように、保護管の中に、複数のファイバからなるマルチファイバで形成した光ファイバ１３０を収容したものを採用してもよい。
【００２４】
上記実施形態及び他の実施形態では、集光部としてテーパ内筒面を用いたが、図１１〜図１７に示すように、それらの実施形態のテーパ内筒面をレンズ１２２に代えてもよい。この場合、レンズ１２２と絞り部９２、特にレンズ１２２に対向する絞り部８２の後方壁面との距離は、レンズ１２２で集光された光のすべてが絞り部８２の出射口８８に入射しないように、換言すれば、集光された光の外周部が絞り部９２によって遮断されるように設定する。これにより、これらレンズを用いた実施形態でも、上述したテーパ内筒面を用いた実施形態と同様の作用効果が得られる。
【００２５】
その他、図１に示すように、ハンドピース２０から出射される医療用レーザ光の照射位置を指示するために、本体１２の内部に可視光を含むガイド光のガイド光源１２４を設け、このガイド光をレーザ光と共に導管を通じてハンドピース２０に供給するようにしてもよい。また、輸送ケーブル１８を複数の導管で構成し、光（レーザ光、ガイド光）と空気を別々に輸送してもよい。さらに、ハンドピース２０に水などの液体を供給する場合、本体１２の内部に液体供給源（図示せず）を設けるとともに輸送ケーブル１８にフレキシブルな液体供給管を設け、この液体供給管を通じてハンドピース２０に液体を供給してもよい。
【図面の簡単な説明】
【００２６】
【図１】本発明に係る医療用レーザ装置の斜視図。
【図２】ハンドピースの先端部拡大断面図。
【図３】ハンドピースを構成している外筒体の一部拡大断面図（図３Ａ）と、外筒体の先端に装着されたレーザ照射チップの拡大断面図（図３Ｂ）。
【図４】レーザ照射チップの先端拡大断面図。
【図５】本発明に係る医療用レーザ装置のレーザ照射チップから出射するレーザ光の進行状態を示す図（図５Ａ）、図５Ａに示すレーザ照射チップから出射されたレーザ光の強度分布を示す図（図５Ｂ〜図５Ｄ）、絞り部の無いレーザ照射チップから出射するレーザ光の進行状態を示す図（図５Ｆ）、図５Ｆに示すレーザ照射チップから出射されたレーザ光の強度分布を示す図（図５Ｇ〜図５Ｉ）。
【図６】曲管からなる導光路を備えたレーザ照射チップの拡大断面図。
【図７】先端に複数の絞り部を多段に設けたレーザ照射チップの拡大断面図。
【図８】先端に偏向ミラーを設けたレーザ照射チップの拡大断面図。
【図９】先端に直管からなる導光路を設けたレーザ照射チップの拡大断面図。
【図１０】先端に曲管からなる導光路を設けたレーザ照射チップの拡大断面図（図１０Ａ）及びその導光路にマルチファイバからなる光ファイバを配置したレーザ照射チップの拡大断面図（図１０Ｂ）。
【図１１】テーパ円筒面に代えてレンズからなる集光部材を設けた、図１〜図４に示す形態の改変例を示すレーザ照射チップの拡大断面図。
【図１２】テーパ円筒面に代えてレンズからなる集光部材を設けた、図６に示す形態の改変例を示すレーザ照射チップの拡大断面図。
【図１３】テーパ円筒面に代えてレンズからなる集光部材を設けた、図７に示す形態の改変例を示すレーザ照射チップの拡大断面図。
【図１４】テーパ円筒面に代えてレンズからなる集光部材を設けた、図８に示す形態の改変例を示すレーザ照射チップの拡大断面図。
【図１５】テーパ円筒面に代えてレンズからなる集光部材を設けた、図９に示す形態の改変例を示すレーザ照射チップの拡大断面図。
【図１６】テーパ円筒面に代えてレンズからなる集光部材を設けた、図１０Ａ及び図１０Ｂに示す形態の改変例を示すレーザ照射チップの拡大断面図。
【符号の説明】
【００２７】
１０：医療用レーザ装置
１２：本体
１４：レーザ発生装置
１６：気体供給源
１８：輸送ケーブル
２０：ハンドピース
２２：光ファイバ
２４：保護チューブ
２６：外筒体
２８：レーザ照射チップ
３０：空間
３２：オペレータ
３４：把持用外筒部
３６：テーパ外筒部
３８：後方外筒部
４０：前方外筒部
４２：アウタホルダ
４４：インナホルダ
４６：チャックホルダ
４８：差込筒部
５０：貫通孔
５２：ボール
５４：板ばね
５６：環状溝
５８：Ｏリング
６０：後方チップ部
６２：前方チップ部
６４：先端チップ部
６６：導光路
６８：先端開口部
７０：後端側筒部
７２：前端側筒部
７４：溝部
７６：内筒
７８：外筒
８０：内側内筒面
８２：テーパ内筒面
８４：先端内筒面（出射口）
８６：内筒面
８８：先端内筒面（出射口８８）
９０：遮光壁
９２：絞り部
９４：先端壁
９６：空間
９８：出射口
１００：入射口
１０２：光軸
１０４：レーザ光
１２２：レンズ
【図１】
2005177150.tif 000003
【図２】
2005177150.tif 000004
【図３】
2005177150.tif 000005
【図４】
2005177150.tif 000006
【図５】
2005177150.tif 000007
【図６】
2005177150.tif 000008
【図７】
2005177150.tif 000009
【図８】
2005177150.tif 000010
【図９】
2005177150.tif 000011
【図１０】
2005177150.tif 000012
【図１１】
2005177150.tif 000013
【図１２】
2005177150.tif 000014
【図１３】
2005177150.tif 000015
【図１４】
2005177150.tif 000016
【図１５】
2005177150.tif 000017
【図１６】
2005177150.tif 000018